(57)【特許請求の範囲】
【請求項１】
断面４角形状を成すスライドバーに対して、対応する４角形状の嵌合孔においてスライド移動可能に嵌合する嵌合部、及びシャワーヘッドを脱着可能に掛止させて保持するフック部を備えたスライドシャワーフックにおいて
前記嵌合孔の内面に、前記スライドバーの側に突出して該スライドバーの外面に接触し、前記スライド移動の際のガイド作用をなす摺動ガイドを設けるとともに
該摺動ガイドのうち、少なくとも使用者に対して正面に位置する前記スライドバーの前面に接触する摺動ガイドについては、該前面の幅方向の両コーナー部に配置し、
前記使用者に対して裏面に位置する前記スライドバーの後面に面する摺動ガイドについては、該後面の幅方向の両コーナー部から前記スライドバーの前記前面の側の摺動ガイドよりも中央寄りに配置してあることを特徴とするスライドシャワーフック。
【請求項２】
請求項１において、前記スライドバーの側面に接触する摺動ガイドについても、該側面の幅方向の両コーナー部に配置してあることを特徴とするスライドシャワーフック。
【請求項３】
請求項１，２の何れかにおいて、前記スライドバーが金属材の押出成形品にて構成してあることを特徴とするスライドシャワーフック。
【発明の詳細な説明】
【技術分野】
【０００１】
この発明は、スライドバーに沿ってスライド移動可能に組み付けられてシャワーヘッドを掛止状態に脱着可能に保持するスライドシャワーフックに関し、特にスライド移動時のガイド作用をなす摺動ガイドを備えたものに関する。
【背景技術】
【０００２】
従来、フック部においてシャワーヘッドを掛止状態に脱着可能に保持し、また嵌合部においてスライドバーにスライド移動可能に組み付けられるスライドシャワーフックが浴室のシャワー装置等に広く用いられている。
例えば下記特許文献１，特許文献２，特許文献３にこの種のスライドシャワーフックが開示されている。
【０００３】
ところでこのスライドシャワーフックにおいては、スライドバーの側に突出してスライドバーの外面に接触し、スライド移動する際のガイド作用をなす摺動ガイドを嵌合部の嵌合孔の内面に設けておくことが望ましい。
このようにすれば、摺動ガイドによるスライドバーの外面への部分的な接触により、スライドシャワーフックを抵抗を少なく円滑にスライド移動させることが可能である。
【０００４】
この摺動ガイドは、嵌合孔の内面に周方向に沿って複数個所に部分的に設けておくのが好適である。
ところがこのようにして摺動ガイドを周方向に沿って複数個所に部分的に設けた場合、以下のような不具合の生じることが判明した。
【０００５】
通常このような摺動ガイドを設けるに当っては、スライド移動の際のガイド作用を安定して良好に行わせるべく、かかる摺動ガイドを、スライドバーの使用者に対して正面となる前面の幅方向の中央部分に配置するが、この場合摺動ガイドによるガイド作用によって、スライドバーの外観が損なわれてしまう問題を生じることが判明した。
【０００６】
特にスライドバーが断面４角形状をなし、使用者の正面に位置する前面が平坦面である場合、スライドシャワーフックをスライド移動させたときの摺動ガイドの摺動痕がスライドバーの前面の幅方向の中央部分に生じてしまい、そしてその摺動痕が外観上目立ち易いものとなって、スライドバーの美観を損ねてしまう。
【０００７】
また前面の摺動痕ほどではないにしても、平坦な側面においてもその幅方向の中央部に上記のような摺動痕が生じると、そのことによってもスライドバーの美観が損なわれてしまう。
特にスライドバーが金属製で、その外面が金属光沢を有する場合、摺動痕の発生した部分と他の部分とで光の反射が大きく異なってしまい、摺動痕がより目立ち易いものとなってしまう。
【０００８】
断面４角形状をなすスライドバーに対して、突出形状の上記の摺動ガイドを、その前面及び側面のそれぞれの面の幅方向の中央部分に設けた場合、以上の他に次のような不具合も生じることが判明した。
【０００９】
断面形状が４角形状を成すスライドバーの場合、製造上の誤差やばらつき等によって、その断面形状が厳密な４角形状とならず、同一のスライドバーであっても、ある部分では前面，側面等の各面が太鼓状に膨出した形状即ち凸面形状となったり、或いは逆に鼓状に凹曲した形状即ち凹曲面形状となったりする。
更に製品ごとにスライドバーの形状が上記のような太鼓形状に膨出した形状となったり、或いは鼓状に凹曲した形状となったりする。
特にスライドバーを金属製の押出成形品にて構成した場合、そうした傾向が顕著である。
【００１０】
而してスライドバーの各面が外側に膨出して凸曲面となった場合、その凸曲面の外側への突出量は、各面の幅方向の中央部で最も大となることから、そのような中央部分に摺動ガイドが配置してあると、摺動ガイドが対応する各面に対して必要以上に強く当った状態となって、摺動ガイドとスライドバーの外面との摩擦力が大となり、シャワーフックをスライドバーに沿ってスライド移動させる際の操作抵抗が大となり、操作が重くなってしまう。
【００１１】
また一方スライドバーの各面が内側に鼓状に凹陥して各面が凹曲面となった場合、その内側への凹曲の程度もまた各面の幅方向の中央部分で最も大きくなり、従ってスライドバーにおける前面の幅方向中央部分、側面の幅方向の中央部分に上記の突出形状の摺動ガイドを配置しておいた場合、摺動ガイドがスライドバーの前面，側面に対して適正に接触しなかったり、或いは場合によって接触しなくなってしまい、スライドシャワーフックのスライド移動に際して、摺動ガイドによるガイド作用が良好に行われなくなってしまう。
尚、上記のような本発明の解決課題については本出願人の知る限り従来提案されておらず、新規な課題である。
【００１２】
【特許文献１】実公昭３７−１０７４２号公報
【特許文献２】実開平２−１１６５５７号公報
【特許文献３】実開平４−１２６９６５号公報
【発明の開示】
【発明が解決しようとする課題】
【００１３】
本発明は以上のような事情を背景とし、摺動ガイドによる摺動痕によってスライドバーの美観が損なわれる問題を解決し得るスライドシャワーフックを提供することを目的としてなされたものである。
また本発明の他の目的は、スライドバーの断面形状のばらつきにも拘らず、摺動ガイドによって安定してガイド案内を行わせることのできるスライドシャワーフックを提供することを目的とする。
【課題を解決するための手段】
【００１４】
而して請求項１のものは、  断面４角形状を成すスライドバーに対して、対応する４角形状の嵌合孔においてスライド移動可能に嵌合する嵌合部、及びシャワーヘッドを脱着可能に掛止させて保持するフック部を備えたスライドシャワーフックにおいて、前記嵌合孔の内面に、前記スライドバーの側に突出して該スライドバーの外面に接触し、前記スライド移動の際のガイド作用をなす摺動ガイドを設けるとともに、該摺動ガイドのうち、少なくとも使用者に対して正面に位置する前記スライドバーの前面に接触する摺動ガイドについては、該前面の幅方向の両コーナー部に配置し、前記使用者に対して裏面に位置する前記スライドバーの後面に面する摺動ガイドについては、該後面の幅方向の両コーナー部から前記スライドバーの前記前面の側の摺動ガイドよりも中央寄りに配置してあることを特徴とする。
【００１５】
請求項２のものは、請求項１において、前記スライドバーの側面に接触する摺動ガイドについても、該側面の幅方向の両コーナー部に配置してあることを特徴とする。
【００１６】
請求項３のものは、請求項１，２の何れかにおいて、前記スライドバーが金属材の押出成形品にて構成してあることを特徴とする。
【発明の作用・効果】
【００１７】
以上のように本発明は、スライドシャワーフックにおける嵌合孔の内面に、スライドバーの側に突出してスライドバーの外面に接触し、スライド移動の際のガイド作用をなす摺動ガイドを設けるとともに、その摺動ガイドのうち、少なくとも使用者に対して正面に位置するスライドバーの前面に接触する摺動ガイドについては、これを前面の幅方向の両コーナー部に配置したものである。
ここで前面の幅方向のコーナー部とは、スライドバーの前面の幅方向寸法をＷ１として、幅方向端からＷ１／１５以内、好ましくはＷ１／２０以内の位置を言う。
但しスライドバーの断面の角部が丸みを帯びた円弧形状となしてある場合、その円弧形状以外の部分に対して接触できるように摺動ガイドの配置位置を定めておく。
この発明では、スライドバーの前面に接触する摺動ガイドについては、前面の幅方向中央部分には配置せずに、幅方向の両コーナー部にだけ配置しておく。
【００１８】
本発明では、スライドバーの前面に接触し、ガイド案内する摺動ガイドが前面の幅方向の中央部分に位置しておらず、幅方向の両コーナー部にのみ配置してあるため、外観上最も目立ち易い前面の中央部分に摺動ガイドによる摺動痕が発生せず、前面の中央部分の摺動痕によってスライドバーの美観が損なわれる問題を解決することができる。
【００１９】
尚、幅方向の両コーナー部にある摺動ガイドによってスライドバーの前面に摺動痕が生じたとしても、その摺動痕は幅方向の端位置であって目立ち難いため、そのような摺動痕によってスライドバーの美観が特に損なわれるといったことはない。
特にスライドバーの前面の幅方向の両角部が小さな曲率半径で僅かに湾曲した円弧形状をなしている場合、摺動痕がその円弧形状に同化してより目立ち難く、摺動痕による美観の低下を特に生じない。
【００２０】
またスライドバーの製造時の誤差ないしばらつきによって、スライドバーの前面が外側に膨出して凸曲面となったり、或いは内側に凹陥して凹曲面となったりしても、幅方向の両コーナー部の形状、寸法は前面の中央部分に比べて安定しており、従ってそのようなコーナー部に摺動ガイドを設けておくことで、摺動ガイドと前面の当りが強くなり過ぎてスライドシャワーフックをスライド移動させる際の操作が重くなったり、或いは逆に摺動ガイドと前面との接触が十分に行われずにガイド作用が良好に行われなくなる問題を解決し得、前面の幅方向の両コーナー部で摺動ガイドによるガイド作用を安定して良好且つ円滑に行わせることが可能となる。
【００２１】
本発明においては、スライドバーの側面に接触する摺動ガイドについても、その配置位置を側面の幅方向の両コーナー部となしておくことができる（請求項２）。
ここで幅方向のコーナー部とは、側面の幅寸法をＷ２として幅方向端からＷ２／５以内、好ましくはＷ２／９以内の位置を意味する。
尚、この場合においてもスライドバーの断面の角部が丸みを帯びた円弧形状となしてある場合、その円弧形状以外の部分に対して接触できるように、側面の摺動ガイドの配置位置を定めておく。
このようにすれば、スライドバーの側面においても、摺動ガイドによる摺動痕によってスライドバーの美観が損なわれる問題を解決し得、また側面においても摺動ガイドによるガイド案内を安定して良好に行わせることができる。
【００２２】
前述したように上記の摺動ガイドによる摺動痕による美観の悪化の問題、及びスライドバーの断面形状のばらつきによるガイド作用の不安定化の問題は、スライドバーが金属材の押出成形品にて構成してある場合に特に顕著に生じる問題であり、従って本発明はスライドバーが金属材の押出成形品にて構成してある場合に適用して特に効果の大なるものである（請求項３）。
【発明を実施するための最良の形態】
【００２３】
次に本発明の実施形態を図面に基づいて詳しく説明する。
図１において、１０は上下方向に長く延びるスライドバーで、その上端部と下端部とが、背面に配置された上下の一対の取付部材１２，１３にて壁等に取り付けられるようになっている。
【００２４】
この実施形態において、スライドバー１０は横断面形状が左右に長い、即ち左右に幅広の断面４角形状をなしており、４つの面即ち図１中使用者に対して正面となる前面１０Ａと、反対側の後面１０Ｃ、更に一対の側面１０Ｂのそれぞれが平坦面をなしている。
そして上下一対の取付部材１２，１３は、スライドバー１０に対する正面視において、かかるスライドバー１０の裏側に完全に隠れる状態で設けられている。
この実施形態において、スライドバー１０は金属製で、押出成形品にて構成してある。
また前面１０Ａ，一対の側面１０Ｂ，後面１０Ｃのそれぞれの面は、金属光沢を有する平滑な面をなしている。
【００２５】
１８はスライドシャワーフックで、基端部（図中左端部）に嵌合部２０を備えている。
嵌合部２０は、スライドバー１０の断面形状に対応した４角形状の嵌合孔２２を備えており、その嵌合孔２２においてスライドバー１０に上下にスライド移動可能に嵌合されている。
【００２６】
スライドシャワーフック１８は、スライドバー１０の前面１０Ａから図中右方、即ち前面１０Ａと直交する方向に前方に突出した形態をなしており、その先端部（図中右端部）にフック部２４を備えており、そのフック部２４の掛止孔２６にシャワーヘッドが脱着可能に掛止されるようになっている。
尚、スライドシャワーフック１８は基端部から先端部に向って斜め上向きに僅かに傾斜した形状をなしている。
【００２７】
スライドシャワーフック１８の内部には、スライドシャワーフック１８をスライドバー１０に対し、上方向及び下方向の両方向に固定しロックするロック機構と、ロック解除機構とが設けられており、そして図２に示しているように、スライドシャワーフック１８の下面には、ロック解除操作を行うための押ボタン式のロック解除操作部１４が、下向きに突出する状態で設けられている。
この実施形態では、後に明らかにされるようにこのロック解除操作部１４を上向きに押し上げることによって、ロック機構によるロックが解除される。
【００２８】
図３〜図５に、スライドシャワーフック１８内部の構造が具体的に示してある。
図３において、２８はスライドシャワーフック１８の樹脂製の本体部で、３０は本体部２８を後述のロック機構，ロック解除機構等とともに覆う樹脂製のカバーである。
この実施形態では、スライドシャワーフック１８をスライドバー１０に対し、上方向と下方向との両方向に固定しロックするロック機構として、ワンウェイクラッチ式の下方向ロック機構３２と、ワンウェイクラッチ式の上方向ロック機構３４との一対のロック機構を備えている。
【００２９】
下方向ロック機構３２は、平面形状がコ字形状をなす噛込部材３６を有している。
噛込部材３６は、互いに対向する両端部が結合ピン３９にて結合され、その結合ピン３９が本体部２８の溝４１内に部分的に嵌り込むことによって、噛込部材３６が本体部２８と一体に上下に移動するようになっている。
この噛込部材３６の図中左側の内面は、図３の部分拡大図に明らかに示しているように、下方に進むにつれてスライドバー１０の外面（後面１０Ｃ）から離れる向きに傾斜する形状の噛込面４０とされている。
【００３０】
４２は被噛込部材としてのローラで、この下方向ロック機構３２では、噛込部材３６が本体部２８と一体に下向きに移動しようとしたときに、図５に模式的に示しているように噛込部材３６が噛込面４０でローラ４２をスライドバー１０の外面（後面１０Ｃ）とともに噛み込み、以て本体部２８即ちスライドシャワーフック１８を下方向に固定しロックする。
【００３１】
４４はローラ４２を保持する保持部材であって、図３及び図４中上下方向に移動可能に設けられている。
この保持部材４４は、図３，図４にも示しているように上向きに突出した突出部４６を有している。
この突出部４６には保持孔４８が備えられていて、その保持孔４８に、上記のローラ４２が保持部材４４とともに上下に一体移動する状態に保持されている。
【００３２】
この下方向ロック機構３２における保持部材４４は、図３及び図４に示しているようにコイルスプリング（付勢手段）５６にて上向きに付勢されており、従って通常時の状態（ロック状態）では、ローラ４２は上側の噛込位置にあって、噛込部材３６とスライドバー１０とで下方向に噛み込まれた状態にある。
【００３３】
スライドシャワーフック１８は、噛込部材３６がローラ４２をスライドバー１０とともに下方向に噛み込んだ状態にあることによって、下方向への移動が阻止される。
このローラ４２は、保持部材４４が図中下方向に移動せしめられると、これとともに上側の噛込位置から図５の模式図の（Ｂ）に示す下側の退避位置へと移動せしめられ、ここにおいて下方向ロック機構３２はロック解除状態となって、スライドシャワーフック１８は、スライドバー１０に沿って下方への自由な移動が可能となる。
【００３４】
上記上方向ロック機構３４は、下方向ロック機構３２と同様に、コ字形状をなす噛込部材５８，被噛込部材としてのローラ６０、及びローラ６０を保持する上下方向に移動可能な保持部材６２とを有している。
上方向ロック機構３４において、ローラ６０は下方向ロック機構３２のローラ４２と基本的に同一形状をなしており、また噛込部材５８，保持部材６２は、下方向ロック機構３２における噛込部材３６，保持部材４４と上下方向に対称形状をなしている。
【００３５】
詳しくは、上方向ロック機構３４におけるコ字形状の噛込部材５８は、結合ピン３９において本体部２８の溝４１に嵌め込まれていて、本体部２８即ちスライドシャワーフック１８と一体に上下移動するようになしてあり、また図中左側に、下方向ロック機構３２における噛込部材３６の噛込面４０と逆方向に且つ同じ角度で傾斜する形状の噛込面６５を備えており、ローラ６０を図中上方向にスライドバー１０とともに噛み込むようになっている。
また保持部材６２は、下向きに突出する突出部６６を有していて、その突出部６６の保持孔６８において、ローラ６０を一体移動する状態に保持している。
【００３６】
また上方向ロック機構３４における保持部材６２は、下方向ロック機構３２と共通のコイルスプリング５６にて下向きに付勢されている。
ここで保持部材４４と６２とには、図４に示すように挿入孔９０が設けられていて、その挿入孔９０に、コイルスプリング５６の上端部と下端部とがそれぞれ挿入されている。
【００３７】
従ってこの上方向ロック機構３４においては、通常時（ロック作用時）には、ローラ６０が下側の噛込位置にあって、噛込部材５８はスライドバー１０とともにローラ６０を上向きに噛み込んだ状態にあり、そしてこの噛込部材５８によるローラ６０の上方向の噛込みによって、スライドシャワーフック１８がスライドバー１０に対し上方向に固定状態にロックされる。
【００３８】
図３において、７０は下方向ロック機構３２及び上方向ロック機構３４によるロックを解除するロック解除機構で、７２はその主要素をなす解除部材である。
解除部材７２は、図４にも示しているように、一対のアーム７４と、それらを連結する連結部７５とを有する、平面形状が全体としてコ字形状をなす部材であって、各アーム７４の図中左端部がＹ字状に二股に分岐しており、それら分岐部が、それぞれ解除作用部７６とされている。
これら解除作用部７６の図中左側の内側の面は、上記保持部材４４，６２に向って互いに開く方向に傾斜する傾斜形状のカム面７８とされている。
【００３９】
尚この解除部材７２には、図４に示しているように一対のアーム７４のそれぞれの内面に沿って、図中左右方向に延びる突条１０４が設けられており、これら突条１０４が、図７に示しているように本体部２８に設けられた支持溝１０６に摺動可能に嵌り込むことによって、かかる解除部材７２が本体部２８により図３中左右方向に移動可能に保持されている。
この解除部材７２は、図４に示しているように、解除部材７２の連結部７５と本体部２８との間に介挿されたコイルスプリング１０８にて図中右方向に、即ち後退方向に常時付勢されている。
【００４０】
一対の保持部材４４，６２には、解除部材７２の解除作用部７６にて上下方向に挟まれる、即ち解除作用を受ける被作用部８０，８２が、図４中左右に突出する形状で設けられており、そしてそれら被作用部８０，８２のそれぞれに、解除作用部７６のカム面７８に対応した傾斜形状の（ここでは同じ角度の傾斜形状の）カム面８４が形成されている。
【００４１】
この解除部材７２の連結部７５には、図４に示しているように左右方向の中央部に、図中右方に突出する側面形状が三角形状の突出部８６が設けられている。この突出部８６の下側の面は、傾斜形状のカム面８８とされている。
【００４２】
上記押ボタン式のロック解除操作部１４は、カバー３０の開口９２に、その下部がカバー３０から下向きに突出する状態で上下に移動可能に嵌め込まれている。
このロック解除操作部１４には、解除部材７２におけるカム面８８に対応した角度で傾斜するカム面１０２が設けられている。
【００４３】
本実施形態のスライドシャワーフック１８は次のように作用する。
図３は、上ロック機構３２及び下ロック機構３４が、何れもロック作用状態にあって、スライドシャワーフック１８は、スライドバー１０に対し上方向及び下方向の両方向に固定され、ロックされた状態にある。
【００４４】
このとき、下方向ロック機構３２のローラ４２，上方向ロック機構３４のローラ６０が、それぞれ噛込部材３６，５８によってスライドバー１０とともに下方向，上方向に噛み込まれた状態にあり、また保持部材４４，６２は、それぞれコイルスプリング５６の付勢力によって上昇位置，下降位置にあり、更に解除部材７２は、コイルスプリング１０８の付勢力によって図３中右方向に後退した状態にある。
【００４５】
この状態で、押ボタン式のロック解除操作部１４を図中上向きに押し上げると、ロック解除操作部１４のカム面１０２と、解除部材７２のカム面８８との作用によって、解除部材７２が図中左方向に強制的に前進移動させられる。
すると解除部材７２の各アーム７４の、それぞれの先端部に設けられた一対ずつの解除作用部７６が、下方向ロック機構３２の保持部材４４，上方向ロック機構３４の保持部材６２の各被作用部８０，８２を挟み込み、且つカム面７８，８４の作用で、これら被作用部８０，８２を介して保持部材４４を下向きに、また保持部材６２を上向きに強制移動させる。
【００４６】
このとき下方向ロック機構３２のローラ４２が、図５（Ａ）に示す上側の噛込位置から、図５（Ｂ）に示す下側の非噛込位置である退避位置へと移動する。
同様に上方向ロック機構３４におけるローラ６０も、下側の噛込位置から上側の非噛込位置である退避位置へと移動する。
【００４７】
ここにおいて下方向ロック機構３２による下方向のロック，上方向ロック機構３４による上方向のロックがそれぞれ解除された状態となり、従ってこの状態でスライドシャワーフック１８は、スライドバー１０に沿って上方向及び下方向の何れにも移動可能となる。
【００４８】
そしてスライドシャワーフック１８を所望の位置に持ち来たしたところで、ロック解除操作部１４に対する上向きの操作力を除くと、解除部材７２が図３の前進位置、即ちロック解除位置から、図中右方向に後退移動させられるとともに、ロック解除操作部１４が下方向に突き出される。
ここにおいて下方向ロック機構３２，上方向ロック機構３４の何れもが再びロック作用状態となり、スライドシャワーフック１８がスライドバー１０に対し所望の位置に固定状態となる。
【００４９】
図６及び図７に、スライドシャワーフック１８における上記の嵌合部２０の構造が具体的に示してある。
図に示しているように嵌合部２０は、それぞれがスライドバー１０の断面形状に対応した４角形状をなす上リング状部１１０と、下リング状部１１２とを有している。
またスライドバー１０の前面１０Ａに対応した嵌合面２０Ａ，側面１０Ｂに対応した嵌合面２０Ｂ，後面１０Ｃに対応した嵌合面２０Ｃをそれぞれ有している。
ここで嵌合面２０Ａは、嵌合孔２２の上端から下端に到るまで全幅に亘って壁１１４にて閉鎖されている。
【００５０】
一方嵌合面２０Ｃについては、上リング状部１１０と下リング状部１１２との間の部分が、全幅に亘って全体的に開放形状とされている。
また嵌合面２０Ｂについては、嵌合面２０Ｃ側の一部が上リング状部１１０と下リング状部１１２との間の部分で開放形状とされ、他の大部分については嵌合孔２２の上端から下端にかけて壁１１６にて閉鎖されている。
【００５１】
而して嵌合面２０Ａには、スライドバー１０の前面１０Ａの幅方向の両コーナー部に対応する位置（ここでは前面１０Ａの幅方向端から前面１０Ａの幅方向寸法をＷ１としてＷ１／１５以内、好ましくはＷ１／２０以内の位置）に、スライドバー１０側に突出する形状で一対の摺動ガイド１１８が設けられている。
ここで摺動ガイド１１８は嵌合部２０に、即ち樹脂製の本体部２８に一体に形成されている。
ここで摺動ガイド１１８は、嵌合孔２２の上端から下端に到るまで全高に亘って連続して縦向きに設けられている。
【００５２】
一方、一対の嵌合面２０Ｂにおいても、スライドバー１０の側面１０Ｂの幅方向の両コーナー部に対応する位置（ここでは側面１０Ｂの幅方向端から側面の幅寸法をＷ２としてＷ２／５以内、好ましくはＷ２／９以内の位置）に、スライドバー１０の側に向って突出した摺動ガイド１２０，１２２が嵌合部２０に一体に形成されている。
ここで摺動ガイド１２２は、上リング状部１１０と下リング状部１１２とに形成され、また摺動ガイド１２０は、上リング状部１１０と下リング状部１１２とを上下に繋ぐ壁１１６に、図中上下に分断状態で縦向きに且つ複数個所に形成されている。
【００５３】
他方嵌合面２０Ｃにおいては、上リング状部１１０と下リング状部１１２とのそれぞれに、同じくスライドバー１０側に突出する形状で摺動ガイド１２４，１２６が設けられている。
これら摺動ガイド１２４，１２６もまた嵌合部２０に一体に形成されている。
【００５４】
ここで摺動ガイド１２４は、スライドバー１０の後面１０Ｃの両端から中央寄りに一定距離離れた位置（ここでは後面１０Ｃの幅方向端からＷ１／５の位置に形成され、また摺動ガイド１２６は、これら摺動ガイド１２４よりも更に中央側に一定距離離れた位置（後面１０Ｃの幅方向端からＷ１／５の位置）にそれぞれ形成されている。
また摺動ガイド１２４，１２６は図６中上下方向に一定間隔ごとに形成されている。
この実施形態において、各摺動ガイド１１８，１２０，１２２，１２４，１２６は何れも同じ突出高さでそれぞれ形成されている。
【００５５】
尚スライドバー１０は、図６に示しているように断面の角部のそれぞれが小さな曲率半径で僅かに湾曲した円弧形状をなしている。そして上記の摺動ガイド１１８，１２０，１２２は、それぞれその円弧形状の終端から外れた位置でスライドバー１０の前面１０Ａ，側面１０Ｂの各平坦面に接触可能な位置にそれぞれの位置が定めてある。
【００５６】
尚、スライドバー１０の後面１０Ｃに対応した嵌合面２０Ｃの各摺動ガイド１２４，１２６については、何れもスライドバー１０における後面１０Ｃの幅方向両端よりも中央部よりの位置に設けてあり、何れもスライドバー１０の後面１０Ｃの平坦面に対して接触する位置に設けてある。
【００５７】
本実施形態では、スライドシャワーフック１６をスライドバー１０に沿って上下にスライド移動させる際、嵌合孔２２の内面、詳しくは嵌合面２０Ａ，２０Ｂ，２０Ｃに設けられた突出形状の摺動ガイド１１８，１２０，１２２，１２４，１２６によって良好にガイドされ、そのガイド作用によりスライドシャワーフック１６を円滑に少ない抵抗でスライドバー１０に沿って上下にスライド移動させることができる。
【００５８】
詳しくは本実施形態では、スライドバー１０の前面１０Ａに接触し、ガイド作用する摺動ガイド１１８が、前面１０Ａの幅方向の中央部分に位置しておらず、幅方向の両コーナー部にのみ配置してあるため、外観上最も目立ち易い前面１０Ａの中央部分に摺動ガイド１１８による摺動痕が発生せず、前面１０Ａの中央部分の摺動痕によってスライドバー１０の美観が損なわれる問題を解決することができる。
【００５９】
尚、幅方向の両コーナー部にある摺動ガイド１１８によってスライドバー１０の前面１０Ａに摺動痕が生じたとしても、その摺動痕は幅方向の端位置であって目立ち難いため、そのような摺動痕によってスライドバー１０の美観が特に損なわれるといったことはない。
特にこの実施形態ではスライドバー１０の前面１０Ａの幅方向の両角部が小さな曲率半径で僅かに湾曲した円弧形状をなしているため、摺動痕がその円弧形状に同化してより目立ち難く、摺動痕による美観の低下を特に生じない。
【００６０】
またスライドバー１０の製造時の誤差ないしばらつきによって、図８（Ａ）に示しているようにスライドバー１０の前面１０Ａが外側に膨出して凸曲面となったり、或いは（Ｂ）に示しているように内側に凹陥して凹曲面となったりしても、幅方向の両コーナー部の形状、寸法は前面１０Ａの中央部分に比べて安定しており、従ってそのようなコーナー部に摺動ガイド１１８を設けておくことで、摺動ガイド１１８と前面１０Ａの当りが強くなり過ぎてスライドシャワーフック１８をスライド移動させる際の操作が重くなったり、或いは逆に摺動ガイド１１８と前面１０Ａとの接触が十分に行われずに、ガイド作用が良好に行われなくなる問題を解決し得、前面１０Ａの幅方向の両コーナー部で摺動ガイド１１８によるガイド作用を安定して良好且つ円滑に行わせることが可能となる。
【００６１】
本実施形態においては、スライドバー１０の側面１０Ｂに接触する摺動ガイド１２０，１２２についても、その配置位置を側面１０Ｂの幅方向の両コーナー部となしてあり、そのためスライドバー１０の側面１０Ｂにおいても、摺動ガイド１２０，１２２による摺動痕によってスライドバー１０の美観が損なわれる問題を解決し得、また側面１０Ｂにおいても摺動ガイド１２０，１２２によるガイド案内を安定して良好に行わせることができる。
【００６２】
以上本発明の実施形態を詳述したがこれはあくまで一例示であり、本発明はその趣旨を逸脱しない範囲において種々変更を加えた形態で構成可能である。
【図面の簡単な説明】
【００６３】
【図１】本発明の一実施形態のスライドシャワーフックをスライドバーと共に外観状態で示す斜視図である。
【図２】図１のスライドシャワーフックを別の方向から示した要部斜視図である。
【図３】同実施形態のスライドシャワーフックの内部構造を組付状態で示す側面断面図である。
【図４】同実施形態のスライドシャワーフックのロック機構及びロック解除機構を各部品に分解して示した斜視図である。
【図５】同実施形態のロック機構の原理を説明する図である。
【図６】同実施形態のスライドシャワーフックにおける嵌合部の断面図である。
【図７】図７の嵌合部の斜視図である。
【図８】同実施形態の摺動ガイドの作用説明図である。
【符号の説明】
【００６４】
１０  スライドバー
１０Ａ  前面
１０Ｂ  側面
１８  スライドシャワーフック
２０  嵌合部
２２  嵌合孔
２４  フック部
１１８，１２０，１２２，１２４，１２６  摺動ガイド
【図１】
0005076185.tif 000002
【図２】
0005076185.tif 000003
【図３】
0005076185.tif 000004
【図４】
0005076185.tif 000005
【図５】
0005076185.tif 000006
【図６】
0005076185.tif 000007
【図７】
0005076185.tif 000008
【図８】
0005076185.tif 000009